【手続補正書】
【提出日】平成19年6月19日(2007.6.19)
【手続補正１】
【補正対象書類名】明細書
【補正対象項目名】特許請求の範囲
【補正方法】変更
【補正の内容】
【特許請求の範囲】
【請求項１】  少なくとも下記一般式（Ｉ）で示される構造を有する染料と、尿素と、２.３０Ｄ以上の双極子モーメントを有する有極性有機溶媒を含有し、
前記尿素をインク全量に対して７．０〜１０．０％含有していることを特徴とするインク:
【化１】
2002003766.tif 000001
(上記式(I)中、Ｒ1及びＲ2は各々独立に水素原子、アルキル基、アルコキシ基またはハロゲン原子を表し、Ｘ1及びＸ2は各々独立にスルホン基もしくはその塩またはカルボキシル基もしくはその塩を表す)。
【請求項２】  該有極性有機溶媒が、２-ピロリドン、Ｎ-メチル-２-ピロリドン、ジメチルスルホキシド、スルホラン、ジエチレングリコール、トリエチレングリコールおよび１,５-ペンタンジオールから選ばれる少なくとも１つである請求項１に記載のインク。
【請求項３】  少なくとも下記一般式（Ｉ）で示される構造を有する染料と、尿素と、有極性有機溶剤として２-ピロリドンを含有するか、あるいはジエチレングリコールおよびトリエチレングリコールの両方を含有していることを特徴とするインク:
【化１】
2002003766.tif 000002
(上記式(I)中、Ｒ1及びＲ2は各々独立に水素原子、アルキル基、アルコキシ基またはハロゲン原子を表し、Ｘ1及びＸ2は各々独立にスルホン基もしくはその塩またはカルボキシル基もしくはその塩を表す)。
【請求項４】  該尿素をインク全量に対して７．０〜１０．０％含有している請求項３に記載のインク。
【請求項５】  該染料をインク全量に対して０．３〜８．０％含有している請求項１〜４のいずれかに記載のインク。
【請求項６】  該有極性有機溶媒をインク全量に対して４.５〜３０.０％含有している請求項１〜５のいずれかに記載のインク。
【請求項７】  該有極性有機溶媒として２０℃における粘度が３０ｍPa・sを越えるものを含み、且つ２０℃に於ける粘度が３０ｍPa・s以下の有機溶媒を含んでいる請求項１〜６のいずれかに記載のインク。
【請求項８】  該２０℃に於ける粘度が３０ｍPa・s以下の有機溶媒がエチレングリコール、２-ピロリドン、ジメチルスルホキシドおよびスルホランから選ばれる少なくとも１つである請求項７に記載のインク。
【請求項９】  該インクがインクジェット記録用のインクである請求項１〜８のいずれかに記載のインク。
【請求項１０】  インクにエネルギーを与え、インク滴として吐出させる工程を有するインクジェット記録方法において、
該インクが請求項９に記載のインクであることを特徴とするインクジェット記録方法。
【請求項１１】  該エネルギーが、熱エネルギーである請求項１０に記載のインクジェット記録方法。
【請求項１２】  該エネルギーが、力学的エネルギーである請求項１０に記載のインクジェット記録方法。
【請求項１３】  インクを収容しているインク収容部と該インクをインク滴として吐出させる為の記録ヘッド部とを備えた記録ユニットにおいて、該インクが請求項９に記載のインクジェット記録用インクであることを特徴とする記録ユニット。
【請求項１４】  該記録ヘッドが、該インクに熱エネルギーを付与することによって該インクを吐出させるヘッドである請求項１３に記載の記録ユニット。
【請求項１５】  インクを収容しているインク収容部を具備しているインクカートリッジにおいて、該インクが請求項１〜９のいずれかに記載のインク組成物であることを特徴とするインクカートリッジ。
【請求項１６】  インクを収容しているインク収容部と該インクをインク滴として吐出させる為のヘッド部とを有する記録ユニットを具備しているインクジェット記録装置において、該インクが請求項９に記載のインクであることを特徴とするインクジェット記録装置。
【請求項１７】  インクを収容しているインク収容部を有しているインクカートリッジと、インクをインク滴として吐出させる為の記録ヘッドとを具備しているインクジェット記録装置において、該インクが請求項９に記載のインクであることを特徴とするインクジェット記録装置。
【請求項１８】  該記録ヘッドが、インクに熱エネルギーを付与して該インクを吐出させる方式のヘッドである請求項１６または１７に記載のインクジェット記録装置。
【手続補正２】
【補正対象書類名】明細書
【補正対象項目名】００１６
【補正方法】変更
【補正の内容】
【００１６】
【課題を解決するための手段】
上記の目的は、下記の本発明により達成される。すなわち、本発明は、少なくとも下記一般式（Ｉ）で示される構造を有する染料と、尿素と、２.３０Ｄ以上の双極子モーメントを有する有極性有機溶媒を含有し、
前記尿素をインク全量に対して７．０〜１０．０％含有していることを特徴とするインクに関する。
【手続補正３】
【補正対象書類名】明細書
【補正対象項目名】００３２
【補正方法】変更
【補正の内容】
【００３２】
また、前記一般式の構造を持つ染料を使用したインクにおいては、尿素が含まれていると分解によって発生するアンモニウムイオンと炭酸イオンにより長期保存後に染料の凝集による沈殿物が発生することがあるが、2.30Ｄ以上の双極子モーメントを有する有極性有機溶媒を用いることにより、インク中の前記イオンが 2.30Ｄ以上の双極子モーメントを有する有極性有機溶媒の分子との強いイオン-双極子相互作用のため溶媒和によってインクの溶液状態として安定化するためであると考えられる。
【手続補正４】
【補正対象書類名】明細書
【補正対象項目名】００３３
【補正方法】変更
【補正の内容】
【００３３】
次に好ましい実施態様を挙げて本発明を更に詳細に説明する。
本発明で使用される染料としては下記一般式（Ｉ）で表される構造を持つ染料である。
【手続補正５】
【補正対象書類名】明細書
【補正対象項目名】０１１７
【補正方法】変更
【補正の内容】
【０１１７】
〔実施例１、２及び比較例１のインクの作製〕
下記の成分を混合溶解した後、更にポアサイズ 0.22μｍのメンブレンフィルター（商品名：フロロポアフィルター、住友電工製）にて加圧ろ過し、本発明及び比較例のインクを作製した。
【手続補正６】
【補正対象書類名】明細書
【補正対象項目名】０１１８
【補正方法】変更
【補正の内容】
【０１１８】
（実施例１）
下記一般式（１）で表される染料                2.5部
尿素                                          8.0部
トリエチレングリコール                        15.0部
アセチレノールＥＨ（川研ファインケミカル製）  1.0部
水                                            73.5部
（実施例２）
下記一般式（２）で表される染料                2.5部
尿素                                          9.0部
２−ピロリドン                                16.0部
アセチレノールＥＨ（川研ファインケミカル製）  1.0部
水                                            71.5部
（実施例３）
下記一般式（１）で表される染料                  2.5部
尿素                                            8.0部
トリエチレングリコール                          9.0部
ジエチレングリコール                            6.0部
アセチレノールＥＨ（川研ファインケミカル製）    1.0部
水                                              73.5部
（比較例１）
下記一般式（１）で表される染料                    2.5部
尿素                                              15.0部
エチレングリコール                                16.0部
アセチレノールＥＨ（川研ファインケミカル製）      1.0部
水                                                65.5部
【手続補正７】
【補正対象書類名】明細書
【補正対象項目名】０１２１
【補正方法】変更
【補正の内容】
【０１２１】
〔評価試験〕
次に、上記で得られた実施例１、２及び比較例１の各インクを、（１）発一性、（２）保存安定性について評価した。各評価の評価方法及び評価基準は以下のようである。また得られた結果を表１に示す。
【手続補正８】
【補正対象書類名】明細書
【補正対象項目名】０１２８
【補正方法】変更
【補正の内容】
【０１２８】
【表１】
2002003766.tif 000003